(57)【要約】【課題】ロック部材がロック位置に移動された状態で蓋部材が収納部に装着された場合に、ロック部材と係合部が破損することを防ぐ。【解決手段】電池蓋１５にスライド移動可能に設けられ、電池収納部１４の開口に装着された電池蓋１５をロックするロック位置と、電池収納部１４の開口に対して電池蓋１５を着脱可能にするロック解除位置とに移動されるロック部材２１と、電池収納部１４内に設けられロック位置に移動されたロック部材２１が係合する係合部２２と、ロック部材２１と一体的に設けられ、電池蓋１５が電池収納部１４の開口を閉じるときにロック部材２１が係合部２２に当接した場合に、ロック部材２１によって弾性変形させられると共に弾性力を、ロック部材２１をロック解除位置側に向かって移動させる力に変換する弾性体２８と、を備える。【選択図】図６
2012054193.tif 000002
【特許請求の範囲】
【請求項１】
開口を有し、被収納物が収納される収納部と、
前記収納部の前記開口に着脱可能に設けられた蓋部材と、
前記蓋部材にスライド移動可能に設けられ、前記収納部の前記開口に装着された前記蓋部材をロックするロック位置と、前記収納部の前記開口に対して前記蓋部材を着脱可能にするロック解除位置とに移動されるロック部材と、
前記収納部内に設けられ、前記ロック位置に移動された前記ロック部材が係合する係合部と、
前記ロック部材と一体的に設けられ、前記蓋部材が前記収納部の前記開口を閉じるときに前記ロック部材が前記係合部に当接した場合に、前記ロック部材によって弾性変形させられると共に弾性力を、前記ロック部材を前記ロック解除位置側に向かって移動させる力に変換する弾性体と、
を備える、ロック機構。
【請求項２】
前記蓋部材は、前記収納部の前記開口に対して前記ロック部材のスライド方向と直交する方向に移動されることで、前記開口に装着される、請求項１に記載のロック機構。
【請求項３】
前記弾性体は、前記ロック部材と前記蓋部材との間に配置されている、請求項１または２に記載のロック機構。
【請求項４】
前記ロック部材の、前記係合部に係合する端部は、前記係合部の外側に摺接する第１の傾斜面を有し、
前記係合部の外側には、前記ロック部材の前記第１の傾斜面が摺接する第２の傾斜面が設けられ、
前記ロック部材の前記第１の傾斜面が、前記係合部の前記第２の傾斜面に沿って摺接することで、前記ロック部材を前記ロック解除位置側に向かって移動させる、請求項１ないし３のいずれか１項に記載のロック機構。
【請求項５】
前記弾性体は、ゴム材によって形成されている、請求項１ないし４のいずれか１項に記載のロック機構。
【請求項６】
前記蓋部材は、前記ロック部材を移動操作するための開口を有し、
前記ロック部材は、前記開口に挿通される操作部を有している、請求項１ないし５のいずれか１項に記載のロック機構。
【請求項７】
請求項１ないし６のいずれか１項に記載のロック機構と、
前記収納部が設けられた筐体と、
を備える、電子機器。
【請求項８】
前記被収納物が電池である、請求項７に記載の電子機器。
【発明の詳細な説明】
【技術分野】
【０００１】
本発明は、例えば電池が収納された収納部を閉じた蓋部材をロックするためのロック機構、及びこのロック機構を備える電子機器に関する。
【背景技術】
【０００２】
近年の携帯電話機をはじめとする携帯機器は、いつでも、どこでも、だれとでも、というユビキタス社会の到来に伴って、様々な状況での利用が想定されている。様々な利用場面の１つには、水周りでの利用も想定されており、防水性を有する携帯機器が提案されている。
【０００３】
一般に、携帯電話機は、電池パックが収納された電池収納部を覆って塞ぐ電池蓋を備えており、電池パックが充放電を繰り返して寿命を有しているので、電池パック及び電池蓋が、電池収納部に対して着脱可能に構成されている（例えば特許文献１参照）。このため、電池蓋は、ユーザーによる電池蓋の取り扱いによる誤操作、電池蓋の嵌め忘れや嵌め込み不足などに起因する装着状態によって、電池収納部内への浸水が発生しやすい構成部品である。
【０００４】
したがって、特に防水仕様の携帯電話機などにおいて、電池蓋の係合爪を筐体の係合穴に係合させるだけのような単純な係合構造だけでは、電池収納部に対する電池蓋の装着状態が不安定になり、防水の信頼性が乏しいと考えられている。この対策として、電池収納部に正常に装着された電池蓋をロックするためのロック機構を追加することで、電池収納部に対する電池蓋の正常な装着状態をユーザーに促し、防水の信頼性の向上が図られている。
【０００５】
本発明に関連する携帯電話機が備えるロック機構について簡単に説明する。図１３に、本発明に関連する携帯電話機が備えるロック機構の斜視図を示す。図１４に、本発明に関連するロック機構の分解斜視図を示す。図１５に、本発明に関連するロック機構を電池蓋の裏側から見た分解斜視図を示す。図１６に、本発明に関連するロック機構のロック部材がロック位置に移動された状態の断面図を示す。
【０００６】
図１３及び図１４に示すように、本発明に関連する携帯電話機は、フロントケース１１１とリアカバー１１２を組み合わせて構成される筐体１１０と、電池パック１１３が収納される電池収納部１１４と、電池収納部１１４に着脱可能に設けられた電池蓋１１５と、電池収納部１１４を閉じた電池蓋１１５をロックするためのロック機構１１７と、を備えている。
【０００７】
図１３及び図１４に示すように、ロック機構１１７は、電池収納部１１４及び電池蓋１１５と、電池蓋１１５に矢印Ｘ方向にスライド移動可能に設けられたロック部材１２１と、ロック部材１２１が係合する係合部１２２と、を備えている。
【０００８】
電池収納部１１４は、筐体１１０のリアカバー１１２に設けられており、電池蓋１１５が着脱可能に設けられている。電池蓋１１５は、電池収納部１１４に対して、ロック部材１２１のスライド方向である矢印Ｘ方向と直交する矢印Ｚ方向（図中の垂直方向）に移動されて装着される。また、電池蓋１１５には、図１５に示すように、ロック部材１２１のツマミ部１２１ｂをスライド操作するための開口１１５ｂが設けられている。
【０００９】
ロック部材１２１は、電池収納部１１４に装着された電池蓋１１５をロックするロック位置と、電池収納部１１４に対して電池蓋１１５を着脱可能にするロック解除位置とに移動可能に設けられている。ロック部材１２１には、スライド操作するためのツマミ部２１ｂが設けられており、ツマミ部１２１ｂが電池蓋１１５の開口１１５ｂ内に配置されている。係合部１２２は、図１４及び図１６に示すように、電池収納部１１４内に設けられており、ロック部材１２１の端部が挿入される凹部１２２ａを有している。
【００１０】
そして、ロック機構１１７は、図１６に示すように、ロック部材１２１の端部が係合部１２２の凹部１２２ａに係合されることで、電池収納部１１４に装着された電池蓋１１５がロックされる。
【００１１】
また、本発明に関連する他の携帯電話機が備えるロック機構について簡単に説明する。図１７に、本発明に関連する他の携帯電話機が備えるロック機構の斜視図を示す。図１８に、本発明に関連する他のロック機構の分解斜視図を示す。図１９に、本発明に関連する他のロック機構を電池蓋の裏側から見た分解斜視図を示す。図２０に、本発明に関連する他のロック機構のロック部材がロック位置に移動された状態の断面図を示す。
【００１２】
本発明に関連する他の携帯電話機は、上述した構成例と同一のロック機構を備えているが、電池収納部に対して装着される電池蓋の構造のみが異なっている。このため、以下の説明において、上述した構成例と同一の構成部材には同一の符号を付して説明を省略する。
【００１３】
図１７及び図１８に示すように、携帯電話機は、フロントケース１３１とリアカバー１３２を組み合わせて構成される筐体１３０と、電池パック１１３が収納される電池収納部１３４と、電池収納部１３４に着脱可能に設けられた電池蓋１３５と、を備えている。また、携帯電話機は、電池収納部１３４を閉じた電池蓋１３５をロックするためのロック機構１３７を備えている。ロック機構１３７は、上述したロック機構１１７と構造が同一であるため、同一部材には同一符号を付して説明を省略する。
【００１４】
電池収納部１３４は、筐体１３０のリアカバー１３２に設けられており、電池蓋１３５が着脱可能に設けられている。電池蓋１３５は、電池収納部１３４に対して、ロック部材１２１のスライド方向である矢印Ｘ方向と直交する矢印Ｙ方向（図中の水平方向）に移動されて装着される。また、電池蓋１３５には、図１８及び図１９に示すように、ロック部材１２１のツマミ部１２１ｂをスライド操作するための開口１３５ｂが設けられている。したがって、電池蓋１３５は、電池収納部１３４に対してＹ方向にスライド移動されることで着脱操作される。
【００１５】
そして、この構成例のロック機構１３７においても、上述したロック機構１１７と同様に、ロック部材１２１の端部が係合部１２２の凹部１２２ａに係合されることで、電池収納部１３４に装着された電池蓋１３５がロックされる。
【先行技術文献】
【特許文献】
【００１６】
【特許文献１】特開平８−３０６３４９号公報
【発明の概要】
【発明が解決しようとする課題】
【００１７】
ところで、上述したロック機構では、ロック部材をロック位置に位置させた状態のままで、電池蓋を電池収納部に装着しようとした場合、ロック部材が係合部に衝突し、ロック部材が係合部の外側に乗り上げてしまい、電池蓋で電池収納部を閉じることができないことがある。
【００１８】
このような場合、一旦、ロック部材をロック解除位置に移動させた後に電池蓋を電池収納部に再度装着し直したり、ロック部材がロック位置に移動されている状態に気付かずに電池蓋を無理に電池収納部に装着させたりすることで、ロック部材や係合部を破損してしまうおそれがある。
【００１９】
本発明は、上述した課題を解決するものであって、ロック部材がロック位置に移動された状態で蓋部材が収納部に装着された場合であっても、ロック部材と係合部の破損を防ぐことができるロック機構及び電子機器を提供することを目的とする。
【課題を解決するための手段】
【００２０】
上述した目的を達成するため、本発明に係るロック機構は、
開口を有し、被収納物が収納される電池収納部と、
電池収納部の開口に着脱可能に設けられた電池蓋と、
電池蓋にスライド移動可能に設けられ、電池収納部の開口に装着された電池蓋をロックするロック位置と、電池収納部の開口に対して電池蓋を着脱可能にするロック解除位置とに移動されるロック部材と、
電池収納部内に設けられ、ロック位置に移動されたロック部材が係合する係合部と、
ロック部材と一体的に設けられ、電池蓋が電池収納部の開口を閉じるときにロック部材が係合部に当接した場合に、ロック部材によって弾性変形させられると共に弾性力を、ロック部材をロック解除位置側に向かって移動させる力に変換する弾性体と、を備える。
【００２１】
また、本発明に係る電子機器は、本発明のロック機構と、収納部が設けられた筐体と、を備える。
【発明の効果】
【００２２】
本発明によれば、ロック部材がロック位置に移動された状態で蓋部材が収納部の開口を閉じたときに、ロック部材が係合部に当接した場合にロック部材によって弾性体が押し潰されて弾性変形することで、ロック部材に作用する力を吸収してロック部材及び係合部の破損を防ぐことができる。また、弾性変形した弾性体は、弾性力を、ロック部材をロック位置からロック解除位置側に向かって移動させる力に変換して解放することによって、ロック部材がロック解除位置に移動されるので、ロック部材と係合部との干渉を回避することができる。また、ロック部材がロック位置に移動された状態で蓋部材が収納部の開口を閉じた場合であっても、ロック部材をロック解除位置に自動的に移動させることができるので、ロック機構の操作性を向上することができる。
【図面の簡単な説明】
【００２３】
【図１】第１の実施形態の携帯電話機が備えるロック機構を示す斜視図である。
【図２】第１の実施形態におけるロック機構を示す分解斜視図である。
【図３】第１の実施形態におけるロック機構を電池蓋の裏側から示す分解斜視図である。
【図４】第１の実施形態においてロック部材がロック位置に移動された状態を示す断面図である。
【図５】第１の実施形態においてロック部材がロック解除位置に移動された状態を示す断面図である。
【図６】第１の実施形態において弾性体が弾性変形された状態を模式的に示す断面図である。
【図７】第２の実施形態の携帯電話機が備えるロック機構を示す斜視図である。
【図８】第２の実施形態におけるロック機構を示す分解斜視図である。
【図９】第２の実施形態におけるロック機構を電池蓋の裏側から示す分解斜視図である。
【図１０】第２の実施形態においてロック部材がロック位置に移動された状態を示す断面図である。
【図１１】第２の実施形態においてロック部材がロック解除位置に移動された状態を示す断面図である。
【図１２】第１の実施形態において弾性体が弾性変形された状態を模式的に示す断面図である。
【図１３】本発明に関連する携帯電話機が備えるロック機構を示す斜視図である。
【図１４】本発明に関連するロック機構を示す分解斜視図である。
【図１５】本発明に関連するロック機構を電池蓋の裏側から示す分解斜視図である。
【図１６】本発明に関連するロック機構のロック部材が電池蓋をロックしている状態を示す断面図である。
【図１７】本発明に関連する他の携帯電話機が備えるロック機構を示す斜視図である。
【図１８】本発明に関連する他のロック機構を示す分解斜視図である。
【図１９】本発明に関連する他のロック機構を電池蓋の裏側から示す分解斜視図である。
【図２０】本発明に関連する他のロック機構のロック部材が電池蓋をロックしている状態を示す断面図である。
【発明を実施するための形態】
【００２４】
以下、本発明の具体的な実施形態について、図面を参照して説明する。
【００２５】
（第１の実施形態）
図１に、第１の実施形態の携帯電話機が備えるロック機構の斜視図を示す。図２に、第１の実施形態におけるロック機構の分解斜視図を示す。図３に、第１の実施形態におけるロック機構を電池蓋の裏側から見た分解斜視図を示す。
【００２６】
図１に示すように、第１の実施形態の携帯電話機は、フロントケース１１とリアカバー１２を組み合わせて構成される筐体１０と、被収納物としての電池パック１３が収納される電池収納部１４と、電池収納部１４に着脱可能に設けられた蓋部材としての電池蓋１５と、を備えている。また、本実施形態の携帯電話機は、電池収納部１４を閉じた電池蓋１５をロックするためのロック機構１７を備えている。
【００２７】
図１及び図２に示すように、ロック機構１７は、電池収納部１４及び電池蓋１５と、電池蓋１５に矢印Ｘ方向にスライド移動可能に設けられたロック部材２１と、ロック部材２１が係合する係合部２２と、を備えている。
【００２８】
電池収納部１４は、筐体１０のリアカバー１２に設けられており、電池蓋１５が着脱可能に設けられる開口１４ａを有している。電池収納部１４における、電池パック１３が装着される凹部は防水構造を有している。また、電池収納部１４は、電池蓋１５が係合される係合穴１４ｂが設けられている。
【００２９】
電池蓋１５は、電池収納部１４の開口１４ａに対して、ロック部材２１のスライド方向である矢印Ｘ方向と直交する矢印Ｚ方向（図中の垂直方向）に移動されて、開口１４ａに装着される。電池蓋１５には、図２に示すように、電池収納部１４の係合穴１４ｂに係合される係合爪１５ａが設けられている。
【００３０】
また、電池蓋１５には、図３に示すように、ロック部材２１のツマミ部２１ｂをスライド操作するための開口１５ｂが設けられている。また、電池蓋１５の裏面側の開口１５ｂの近傍には、ロック部材２１をスライド可能に支持する支持片２４ａを有するガイド部２４が一体に形成されている。
【００３１】
ロック部材２１は、電池収納部１４の開口１４ａに装着された電池蓋１５をロックするロック位置と、電池収納部１４の開口１４ａに対して電池蓋１５を着脱可能にするロック解除位置とに移動可能に設けられている。
【００３２】
ロック部材２１の一端部には、係合部２２に係合されるロック爪２１ａが設けられている。また、ロック部材２１には、スライド操作するための操作部としてのツマミ部２１ｂが設けられており、ツマミ部２１ｂが電池蓋１５の開口１５ｂに挿通されて配置されている。また、ロック爪２１ａには、係合部２２の外側に当接した場合に係合部２２に対して摺接される第１の傾斜面２５が形成されている。
【００３３】
係合部２２は、図２に示すように、電池収納部１４内に設けられており、ロック部材２１の端部が挿入される凹部２２ａを有している。また、係合部２２の外側には、ロック部材２１の底面に対向する位置に、ロック部材２１のロック爪２１ａの第１の傾斜面２５が摺接する第２の傾斜面２６が形成されている。第１及び第２の傾斜面２５、２６は、ロック部材２１が係合部２２に対して摺接することで、ロック部材２１がロック解除位置側に向かって移動させるように形成されている。
【００３４】
また、ロック機構１７は、図２及び図３に示すように、電池蓋１５が電池収納部１４の開口１４ａを閉じるときにロック部材２１が係合部２２に当接した場合に、ロック部材２１によって弾性変形させられると共に弾性力を、ロック部材２１をロック解除位置側に向かって移動させる力に変換する弾性体２８を備えている。
【００３５】
弾性体２８は、例えばフッ素コートティングシリコーンゴムなどの摺動性を有するゴム材によって略直方体状に形成されている。弾性体２８は、ロック部材２１のツマミ部２１ｂと嵌合される嵌合穴２８ａが設けられており、嵌合穴２８ａにロック部材２１のツマミ部２１ｂが嵌合されることで、ロック部材２１と電池蓋１５との間に配置され、ロック部材２１と一体的に移動される。
【００３６】
以上のように構成されたロック機構１７について、電池収納部１４に装着された電池蓋１５がロックされる動作を説明する。図４に、第１の実施形態においてロック部材２１がロック位置に移動された状態の断面図を示す。図５に、第１の実施形態においてロック部材２１がロック解除位置に移動された状態の断面図を示す。図６に、第１の実施形態において弾性体２８が弾性変形された状態の模式的な断面図を示す。
【００３７】
まず、ロック機構１７は、図４に示すように、電池収納部１４に対して電池蓋１５がＺ方向から装着され、ロック部材２１がロック位置に移動されることで、ロック爪２１ａが係合部２２の凹部２２ａに係合される。これによって、電池蓋１５は、電池収納部１４に係合された状態でロックされる。
【００３８】
また、ロック機構１７は、図５に示すように、ロック部材２１がロック解除位置に移動されることで、ロック部材２１のロック爪２１ａと係合部２２の凹部２２ａとの係合状態が解除される。このため、電池収納部１４に装着された電池蓋１５は、電池収納部１４に対して取り外し可能にされる。
【００３９】
そして、ロック部材２１がロック位置に誤って移動された状態で、電池蓋１５が電池収納部１４に対してＺ方向から装着された場合、図６に示すように、ロック部材２１のロック爪２１ａが係合部２２の外側に当接して乗り上げてしまう。このため、電池収納部１４に対して電池蓋１５が装着されることで、ロック部材２１が係合部２２からＺ方向に押圧力を受けて、ロック部材２１と電池蓋１５との間で弾性体２８がＺ方向に対して押し潰されて弾性変形する。このように、弾性体２８がＺ方向に弾性変形することで、ロック部材２１と係合部２２が当接したときにロック部材２１及び係合部２２が破損することが防止されている。
【００４０】
続いて、弾性体２８は、弾性力を、ロック部材２１がスライド可能な方向であるロック解除位置側に向かって移動させる力に変換して解放する。ロック部材２１は、弾性体２８によってロック解除位置側に向かって移動されることで、ロック爪２１ａが係合部２２から退避されて、ロック部材２１と係合部２２との当接状態が解消される。このため、ロック部材２１と係合部２２が当接した状態が継続してロック部材２１と係合部２２が干渉することが回避されている。
【００４１】
加えて、ロック部材２１が係合部２２の外側に当接したとき、ロック部材２１の第１の傾斜面２５と係合部２２の第２の傾斜面２６が摺接することで、ロック部材２１がロック解除位置側に向かって円滑にスライド移動可能にされている。言い換えれば、ロック機構１７は、ロック部材２１と係合部２２とが当接して互いに干渉したときに、ロック部材２１のＺ方向である垂直方向の移動を、Ｘ方向である水平方向の移動に変換する構造を有している。このため、ロック部材２１は、ロック爪２１ａと係合部２２とが当接した場合に、ロック位置からロック解除位置側に向かって円滑にスライド移動される。
【００４２】
したがって、ユーザーは、ロック部材２１がロック位置に誤って移動された状態で電池蓋１５が電池収納部１４に装着された場合に、ロック部材２１がロック解除位置に自動的に移動される。すなわち、ロック部材２１がロック位置に移動された状態で電池蓋１５が電池収納部１４に装着された場合に、電池蓋１５を電池収納部１４から一旦、取り外して、ロック部材２１をロック解除位置に移動させた後に、電池蓋１５を電池収納部１４に再度装着するといった煩雑な作業が不要になる。このため、ロック機構１７は、ロック部材２１及び係合部２２の破損を防ぐと共に、電池収納部１４に装着された電池蓋１５をロックするときの操作性が向上される。
【００４３】
上述したように、本実施形態のロック機構１７は、電池蓋１５が電池収納部１４の開口１４ａを閉じるときにロック部材２１が係合部２２に当接した場合に、ロック部材２１によって弾性変形されると共に弾性力によってロック部材２１をロック解除位置側に向かって移動させる弾性体２８を備えている。これによって、ロック機構１７は、ロック部材２１がロック位置に誤って移動された状態で電池蓋１５が電池収納部１４に装着された場合に、ロック部材２１及び係合部２２の破損を防ぐことができる。
【００４４】
また、本実施形態では、弾性体２８としてシリコーンゴムを使用することで、電池蓋１５を電池収納部１４に嵌め込んで装着するときに、弾性体２８が押圧力で一時的に圧縮されるが、ロック部材２１がロック解除位置に移動した後、弾性体２８の弾性力で元の形状に復帰する。つまり、弾性体２８は、弾性力を解放するので、無永久圧縮歪（塑性変形）を生じることなく、弾性体２８の保守交換が不要である。
【００４５】
また、本実施形態によれば、ユーザーはロック部材２１の位置を気にかけることなく、電池蓋１５を電池収納部１４に装着することが可能になる。このため、電池蓋１５の装着時のロック部材２１をロック解除位置に移動させる煩わしさが解消され、ロック機構１７の操作性を向上することができる。
【００４６】
（第２の実施形態）
第２の実施形態の携帯電話機は、電池収納部に対して装着される電池蓋の構造だけが第１の実施形態と異なっている。このため、第２の実施形態において、第１の実施形態と同一の構成部材には同一の符号を付して説明を省略する。
【００４７】
図７に、第２の実施形態の携帯電話機が備えるロック機構１７の斜視図を示す。図８に、第２の実施形態におけるロック機構１７の分解斜視図を示す。図９に、第２の実施形態におけるロック機構１７を電池蓋の裏側から見た分解斜視図を示す。
【００４８】
図７及び図８に示すように、第２の実施形態の携帯電話機は、フロントケース３１とリアカバー３２を組み合わせて構成される筐体３０と、電池パック１３が収納される電池収納部３４と、電池収納部３４に着脱可能に設けられた電池蓋３５と、を備えている。また、本実施形態の携帯電話機は、電池収納部３４を閉じた電池蓋３５をロックするためのロック機構３７を備えている。ロック機構３７は、上述したロック機構１７と構造が同一であるため、同一部材には同一符号を付して説明を省略する。
【００４９】
電池収納部３４は、筐体３０のリアカバー３２に設けられており、電池蓋３５が着脱可能に設けられる開口３４ａを有している。電池収納部３４における、電池パック１３が装着される凹部は防水構造を有している。また、電池収納部３４は、電池蓋３５が係合される係合穴３４ｂが設けられている。
【００５０】
電池蓋３５は、電池収納部３４の開口３４ａに対して、ロック部材２１のスライド方向である矢印Ｘ方向と直交する矢印Ｙ方向（図中の水平方向）に移動されて、開口３４ａに装着される。電池蓋３５には、図８に示すように、電池収納部３４の係合穴３４ｂに係合される係合爪３５ａが設けられている。
【００５１】
また、電池蓋３５には、図９に示すように、ロック部材２１のツマミ部２１ｂをスライド操作するための開口３５ｂが設けられている。また、電池蓋３５の裏面側の開口３５ｂの近傍には、ロック部材２１をスライド可能に支持する支持片３４ａを有するガイド部３４が一体に形成されている。
【００５２】
また、図１０に示すように、電池蓋３５には、Ｙ方向に平行な側壁の内側に、電池収納部３４に対してＹ方向にスライド移動するためのガイド爪３８が設けられている。また、電池収納部３４には、Ｙ方向に平行な外周部に、電池蓋３５のガイド爪３８が係合するガイド溝３９が設けられている。したがって、電池蓋３５は、ガイド爪３８がガイド溝３９に沿ってＹ方向にスライド操作されることで、電池収納部３４に対して着脱される。
【００５３】
以上のように構成されたロック機構３７について、電池収納部３４に装着された電池蓋３５がロックされる動作を説明する。図１０に、第２の実施形態においてロック部材２１がロック位置に移動された状態の断面図を示す。図１１に、第２の実施形態においてロック部材２１がロック解除位置に移動された状態の断面図を示す。図１２に、第２の実施形態において弾性体が弾性変形された状態の模式的な断面図を示す。
【００５４】
まず、ロック機構３７は、図１０に示すように、電池収納部３４に対して電池蓋３５がＹ方向から装着され、ロック部材２１がロック位置に移動されることで、ロック爪２１ａが係合部２２の凹部２２ａに係合される。これによって、電池蓋３５は、電池収納部３４に係合された状態でロックされる。
【００５５】
また、ロック機構３７は、図１１に示すように、ロック部材２１がロック解除位置に移動されることで、ロック部材２１のロック爪２１ａと係合部２２の凹部２２ａとの係合状態が解除される。このため、電池収納部３４に装着された電池蓋３５は、電池収納部３４に対して取り外し可能にされる。
【００５６】
そして、ロック部材２１がロック位置に誤って移動された状態で、電池蓋３５が電池収納部３４に対してＹ方向から装着された場合、図１２に示すように、ロック部材２１のロック爪２１ａが係合部２２の外側に当接して乗り上げてしまう。このため、電池収納部３４に対して電池蓋３５が装着されることで、ロック部材２１が係合部２２からＺ方向に押圧力を受けて、ロック部材２１と電池蓋３５との間で弾性体２８がＺ方向に対して押し潰されて弾性変形する。このように、弾性体２８がＺ方向に弾性変形することで、ロック部材２１と係合部２２が当接したときにロック部材２１及び係合部２２が破損することが防止されている。
【００５７】
続いて、弾性体２８は、弾性力が解放されることで、ロック部材２１がスライド可能な方向であるロック解除位置側に向かってロック部材２１をスライドさせる。このため、ロック爪２１ａが係合部２２から退避されて、ロック部材２１と係合部２２との当接状態が解消される。このため、ロック部材２１と係合部２２が当接した状態が継続してロック部材２１及び係合部２２が破損することが防止されている。
【００５８】
加えて、ロック部材２１が係合部２２の外側に当接したとき、ロック部材２１の第１の傾斜面２５と係合部２２の第２の傾斜面２６が摺接することで、ロック部材２１がロック解除位置側に向かって円滑にスライド移動可能にされている。このため、ロック部材２１は、ロック爪２１ａと係合部２２とが当接した場合に、ロック位置からロック解除位置側に向かって円滑にスライド移動される。
【００５９】
したがって、ユーザーは、ロック部材２１がロック位置に誤って移動された状態で電池蓋３５が電池収納部３４に装着された場合に、ロック部材２１がロック解除位置に自動的に移動される。すなわち、ロック部材２１がロック位置に移動された状態で電池蓋３５が電池収納部３４に装着された場合に、電池蓋３５を電池収納部３４から一旦、取り外して、ロック部材２１をロック解除位置に移動させた後に、電池蓋３５を電池収納部３４に再度装着するといった煩雑な作業が不要になる。このため、ロック機構１７は、ロック部材２１及び係合部２２の破損を防ぐと共に、電池収納部３４に装着された電池蓋３５をロックするときの操作性が向上される。
【００６０】
上述したように、本実施形態においても、第１の実施形態のロック機構１７と同様に、ロック機構３７が弾性体２８を備えることによって、ロック部材２１がロック位置に誤って移動された状態で電池蓋３５が電池収納部３４に装着された場合に、ロック部材２１及び係合部２２の破損を防ぐことができる。また、本実施形態においても、第１の実施形態と同様の効果が得られる。
【符号の説明】
【００６１】
１３  電池
１４  電池収納部
１４ａ  開口
１５  電池蓋
１７  ロック機構
２１  ロック部材
２２  係合部
２８  弾性体
【図１】
2012054193.tif 000003
【図２】
2012054193.tif 000004
【図３】
2012054193.tif 000005
【図４】
2012054193.tif 000006
【図５】
2012054193.tif 000007
【図６】
2012054193.tif 000008
【図７】
2012054193.tif 000009
【図８】
2012054193.tif 000010
【図９】
2012054193.tif 000011
【図１０】
2012054193.tif 000012
【図１１】
2012054193.tif 000013
【図１２】
2012054193.tif 000014
【図１３】
2012054193.tif 000015
【図１４】
2012054193.tif 000016
【図１５】
2012054193.tif 000017
【図１６】
2012054193.tif 000018
【図１７】
2012054193.tif 000019
【図１８】
2012054193.tif 000020
【図１９】
2012054193.tif 000021
【図２０】
2012054193.tif 000022